(57)【特許請求の範囲】
【請求項１】
座対応部分及び背もたれ対応部分を一体に成形してなる側面視Ｌ字形のベースシェルを備え、このベースシェルに係合部を介して着脱可能に座及び背もたれを取り付けるようにした椅子において、
ベースシェルの座対応部分の前部近傍と座の前部近傍とを連結する前係合部を、ベースシェルの上面に突設した後下方に開口する爪と、クッション材の下面に添設する位置に補助シェルを配設した座の下面であって前記爪に係合する位置に形成した係合要素と、ベースシェルの上面であって前記係合要素近傍の補助シェルの下面に当接する位置に突設され座の前部を前上方に向かって付勢する起立片とから構成してなるとともに、前記補助シェルの下面を前記起立片の形状に対応する形状に成形していることを特徴とする椅子。
【請求項２】
起立片が、後上方に向けて緩やかに立ち上がるリブであることを特徴とする請求項１記載の椅子。
【請求項３】
係合要素が、座の下面に形成した開口窓であることを特徴とする請求項１記載の椅子。
【請求項４】
係合要素が、座の下面に保持させた線条体であることを特徴とする請求項１記載の椅子。
【請求項５】
係合要素が、前記補助シェルに一体形成されていることを特徴とする請求項３又は４記載の椅子。
【発明の詳細な説明】
【０００１】
【産業上の利用分野】
本発明は、オフィス等において好適に使用される椅子に関するものである。
【０００２】
【従来の技術】
従来、背座一体形の椅子として、例えば座対応部分及び背もたれ対応部分を一体に成形してなる側面視Ｌ字形のベースシェルを備え、このベースシェルに係合部を介して着脱可能に座及び背もたれを取り付けるようにした椅子が知られている。このうち、ベースシェルの座対応部分の前部近傍と座の前部近傍とを連結する前係合部は、ベースシェルの上面に突設した後向き爪を、座の下面に引き回した線条体などに係合させて、座の浮き上がりを防止する構造になっている。また、他の係合部、例えばベースシェルの座対応部分の後部近傍と座の後部近傍とを連結する係合部などは、ベースシェルに突設した二股形状の係合要素の股の間に、座の下面や背の背面に引き回した線条体を挟み込んで装着するいわゆる掴み構造によっているのが通例である。
【０００３】
【発明が解決しようとする課題】
ところが、単にこのような構成だけでは、前係合部でベースシェルと座の解離が生じ易いという問題がある。すなわち、このような背座一体形のシェルは全体が樹脂一体成形品であって弾性を有しているのが通例であり、しかも座を構成するクッション材等は柔軟な素材からなるものであるため、座に着座したり、背もたれにもたれたりした際には、ベースシェルが撓み変形したり、座が位置ずれしたりして、座の前部がベースシェルに対して相対的に後方に変位し易い。このような場合に、従来のようにベースシェルに突設した後向き爪を単に座の下面に形成した線条体に係合させておくだけでは、座の前部が後方に変位したときに爪と係合要素とが比較的簡単に解離してしまう。したがって、この種の椅子では、座の前部がベースシェルから剥離し易いという問題があり、信頼性や耐久性を高めるために何らかの措置を講じることが望まれている。
【０００４】
本発明は、このような不具合を好適に解消することを目的としている。
【０００５】
【課題を解決するための手段】
本発明は、かかる目的を達成するために、次のような構成を採用したものである。すなわち、本発明に係る椅子は、座対応部分及び背もたれ対応部分を一体に成形してなる側面視Ｌ字形のベースシェルを備え、このベースシェルに係合部を介して着脱可能に座及び背もたれを取り付けるようにしたものにおいて、ベースシェルの座対応部分の前部近傍と座の前部近傍とを連結する前係合部を、ベースシェルの上面に突設した後下方に開口する爪と、クッション材の下面に添設する位置に補助シェルを配設した座の下面であって前記爪に係合する位置に形成した係合要素と、ベースシェルの上面であって前記係合要素近傍の補助シェルの下面に当接する位置に突設され座の前部を前上方に向かって付勢する起立片とから構成してなるとともに、前記補助シェルの下面を前記起立片の形状に対応する形状に成形していることを特徴とする。
【０００６】
起立片の具体的な実施の態様としては、後上方に向けて緩やかに立ち上がるリブであるものが挙げられる。
【０００７】
係合要素の具体的な実施の態様としては、座の下面に形成した開口窓であるものや、座の下面に保持させた線条体であるものが挙げられる。
【０００８】
係合要素は、前記補助シェルに一体形成しておくことが有効となる。
【０００９】
【作用】
このような構成のものであれば、前係合部におけるベースシェルと座の解離が有効に防止されるものとなる。すなわち、この椅子の前係合部は、ベースシェルに突設した爪に座に形成した係合要素を係合させた際に、ベースシェルに突設した起立片が座の下面に当接して該座を前上方に向かって付勢する。その際に、座に一体形成されている係合要素も前上方に向かって引上げられるが、爪は後下方に開口していて、その方向は係合要素と爪がより深く係合する方向に一致することになり、しかも座の後方への位置づれを禁止する抑止力として働く。したがって、本発明によると、単に爪と係合要素を係合させる構造に比べて前係合部の装着状態がより良好なものとなり、座に着座したり背もたれにもたれたりして座の前部がベースシェルに対して相対的に後方へ変位しようとした場合にも、爪と係合要素の解離を有効に阻止して、座の前部をベースシェルに安定して拘留させておくことができる。
【００１０】
【実施例】
以下、本発明の一実施例を、図面を参照して説明する。
【００１１】
この椅子は、図１に示すように、脚１と、この脚１に傾動装置２を介して取り付けられるベースシェルたるアウターシェル３と、このアウターシェル３の前面側に装着される座４及び背もたれ５とを具備してなる。
【００１２】
詳述すると、脚１は、脚羽根１１の中心部に脚柱１２を立設したもので、その脚柱１２の上端部に傾動装置２を取着している。
【００１３】
傾動装置２は、座４の荷重を支持する座受部２１と、背もたれ５の荷重を支持する背支桿２２とを具備してなるもので、背支桿２２に背もたれ５を介して荷重が作用したときに、座受部２１全体が若干前方へ進出しながらやや後傾し、着座する者に安楽姿勢をとらしめるようになっている。
【００１４】
アウターシェル３は、座対応部分３１及び背もたれ対応部分３２を樹脂により一体成形した側面視Ｌ字形のもので、座対応部分３１の下面を前記座受部２１の上面に添設させて、適宜箇所をビスを用いて締着している。また、このアウターシェル３の座対応部分３１と背もたれ対応部分３２との境界部近傍には開口３３が設けてあり、前記傾動装置２から後方に延出させた背支桿２２をこの開口３３を介してアウターシェル３の内面側に挿入し、その背支桿２２の先端にアウターシェル３の背対応部分３２をビスを用いて締着している。つまり、アウターシェル３は、その座対応部分３１が傾動装置２の座受部２１を介して脚柱１２に支持され、背もたれ対応部分３２が背支桿２２を介して脚柱１２に支持されており、アウタターシェル３全体が座４及び背もたれ５に作用する荷重を支持する構造部材としての機能を有するとともに、前述した傾動装置２の挙動に追従して全体を撓み変形させ得るようになっている。
【００１５】
座４及び背もたれ５は、例えば一体成形されたもので、図２及び図３に示すように、発泡ウレタンを成形したクッション材６１と、このクッション材６１の下面及び背面に添設する位置に配設される樹脂製の補助シェル６２と、クッション材６１の前面及び上面を被覆しその周縁を補助シェル６２の背面に回り込ませた位置でタッカやのり付け等適宜の手段により止着された表皮６３とを具備してなる。補助シェル６２は、前記アウターシェル３の座対応部分３１および背もたれ対応部分３２に対応する部分を有する側面視Ｌ字形のものであり、この補助シェル６２をアウターシェル３に重合させた位置で、図１及び図２に示すように背面及び下面に形成した係合要素６２ａ〜６２ｇを対応するアウターシェル３の前面および上面に形成した係合要素３４ａ〜３４ｇに係合させるようにしている。
【００１６】
このような構成において、本実施例では特に、前記アウターシェル３の座対応部分３１の前部近傍と座４の前部近傍とを連結する前係合部Ａを、図３に示すように、アウターシェル３の上面における幅方向両縁部近傍に突設した後下方に開口する各一対の爪３４ｇと、この爪３４ｇに対応する位置において前記補助シェル６２に形成した係合要素たる開口窓６２ｇと、アウターシェル３の上面であって前述した左右の開口窓６２ｇの幅方向内側において補助シェル６２の下面６ａに当接する位置に突設した起立片たるリブ３４ｈとにより構成している。爪３４ｇはアウターシェル３に一体成形または後付けにより形成されたもので、前後方向に傾倒可能な若干の弾性を付与されている。開口窓６２ｇは、前記爪３４ｇとの係合を低い位置において実現するために補助シェル６２から斜め下方に垂下させた底壁部６３に形成されており、爪３４ｇとの実質的な係合を行う開口縁部６２ｇ1 は突条状態で若干隆起させてある。リブ３４ｈは、座４の前部を補助シェル６２を介して前上方に付勢する機能を担うもので、そのために後上方に向けて緩やかに立ち上がる流線形状をなしており、そのリブ３４ｈの形状に対応して補助シェル６２の下面６ａも後上方に向けて緩やかに底上げしていく形状に成形してある。
【００１７】
なお、係合要素６２ｂ〜６２ｆは補助シェル６２の背面又は下面に形成した線条体であり、アウターシェル３側の対応する係合要素３４ｂ〜３４ｆはそれが嵌め込まれる二股形状をなしていて、掴み構造によって係合を実現するようになっている。また、係合要素６２ａは補助シェル６２の背面上部に突設した下向き開口窓であり、アウターシェル３側の対応する位置に形成した係合要素３４ａはその内部に挿入される上向き爪をなしている。
【００１８】
この実施例において、アウターシェル３に補助シェル６２を介して座４及び背もたれ５を取り付ける手順は主に次の２方式による。先ず第１は圧入方式によるもので、前係合部Ａ以外の係合部の係合要素６２ａ〜６２ｆおよび係合要素３４ａ〜３４ｆを全て或いは概ね係合させた後、前係合部Ａの開口窓６２ｇを図４中（ａ）に示すように上方から爪３４ｇに向かって圧接する。すると、ある位置に来たときに同図（ｂ）のように爪３４ｇが開口窓６２ｇの開口縁部６２ｇ1 に当接して付勢され、爪３４ｇはそれ自身の弾性によって経過的に後方へのけ反った状態に退避する。そして、その状態で後向き爪３４ｇが開口窓６２ｇを通過すると、爪３４ｇが元の姿勢に復帰し、同図（ｃ）に示すように爪３４ｇの先端が開口縁部６２ｇ1 に係合する。このとき、同図（ｃ）に網かけで示すリブ３４ｈが補助シェル６２の下面６ａに当接して該シェル６２を矢印で示すように前上方に付勢するので、開口窓６２ｇが同じく前上方に向かって引き上げられ、その結果、爪３４ｇと開口縁部６２ｇ1 がより深く係合した状態になる。また、第２はスライド方式によるもので、先に前係合部Ａを係合させる。すなわち、図５（ａ）に示すように、開口窓６２ｇの周辺を押さえるようにして爪３４ｇの上方からかぶせ、その位置で前方に潜り込ませるように押圧すると、同図（ｂ）のように開口窓６２ｇの開口縁部６２ｇ1 が爪３４ｇに後下方から係合し、同図（ｃ）のように前係合部Ａの係合が完了する。その後、他の係合部の係合要素６２ａ〜６２ｆおよび係合要素３４ａ〜３４ｆを全て係合させて、座４および背もたれ５の取り付けが完了する。この位置では、やはりリブ３４ｈの作用により爪３４ｇと開口縁部６２ｇ1 との係合状態が確実なものとされる。すなわち、何れの方式によっても取付けた後の状態は同一となる。
【００１９】
このようにして取り付けた状態では、前係合部Ａにおけるアウターシェル３と座４の解離を有効に防止できるものとなる。すなわち、この椅子の前係合部Ａは、アウターシェル３に突設した爪３４ｇを補助シェル６２に形成した開口窓６２ｇの開口縁部６２ｇ１  に係合させた際に、アウターシェル３に突設したリブ３４ｈが補助シェル６２の下面６ａに当接して補助シェル６２を介し座４を前上方に向かって付勢する構造になっている。そのため、補助シェル６２に一体形成されている開口窓６２ｇも前上方に向かって引上げられ、その方向は叙述のように開口縁部６２ｇ１  と爪３４ｇがより深く係合する方向に一致するので、単に爪３４ｇと開口窓６２ｇとを係合させる構造に比べてより高い係合力を発揮し得るものとなる。しかも、リブ３４ｈが後上方に向かって緩やかに立ち上がる形状をなしており、補助シェル６２の下面６ａがそのリブ３４ｈの形状に対応してえぐれているため、補助シェル６２はアウターシェル３に対して相対的に後方へ変位することがそのリブ３４ｈによって禁止され、前記爪３４ｇと協働して言わば嵌め殺し状態になる。そのため、本実施例によると、座４に着座したり、背もたれ５にもたれたりして、座４の前部がアウターシェル３に対して後方へ相対変位しようとしても、爪３４ｇと開口窓６２ｇの解離を有効に阻止し、座４の前部をアウターシェル３に安定して拘留させておくことができる。したがって、座４の前部がアウターシェル３から剥離する不具合を著しく低減化して、椅子全体の信頼性や耐久性を飛躍的に向上させることが可能になる。
【００２０】
なお、各部の具体的な構成や断面形状などは、図示実施例のものに限定されるものではない。例えば、上記実施例では座及び背もたれの背面に補助シェルを添設し、この補助シェルに開口窓を設け、あるいはリブの添設面として利用したが、補助シェルに代えてウレタン発泡成形時にウレタンフォーム等を利用して部分的に硬質層を形成し、その硬質層に前記開口窓を設け、あるいはリブの添設面として利用するようにしてもよい。また、開口窓に代えて座の下面に線条体を引き回しておき、この線条体をベースシェルの爪に係合させるようにしてもよい。さらに、起立片は必ずしもリブに限定されるものではない。さらにまた、上記実施例ではアウターシェルを構造部材として使用した椅子に適用したが、インナーシェルが構造部材であり、アウターシェルによって外観を整えられる椅子に適用する場合には、インナーシェルをベースシェルとして本発明を適用することができる。その他、各部の具体的な構成も、本発明の趣旨を逸脱しない範囲で種々変形が可能である。
【００２１】
【発明の効果】
本発明の椅子は、以上詳述したように、ベースシェルの座対応部分の前部近傍と座の前部近傍とを連結する前係合部を、ベースシェルの上面に突設した後下方に開口する爪と、クッション材の下面に添設する位置に補助シェルを配設した座の下面であって前記爪に係合する位置に形成した係合要素と、ベースシェルの上面であって前記係合要素近傍の補助シェルの下面に当接する位置に突設され座の前部を前上方に向かって付勢する起立片とから構成するとともに、前記補助シェルの下面を前記起立片の形状に対応する形状に成形したものである。そのため、起立片により前係合部の係合力が高められるとともに、ベースシェルに対する座の後方への相対変位が禁止されることになり、その結果、単に爪と係合要素を係合させる構造に比べて前係合部の装着状態がより良好になるだけでなく、座に着座したり背もたれにもたれたりして座の前部がベースシェルに対して相対的に後方へ変位しようとした場合にも、爪と係合要素の解離を有効に阻止して、座の前部をベースシェルに安定して拘留させておくことができる。このようにして、本発明は従来構造に比べて椅子としての信頼性と耐久性を飛躍的に向上させる優れた効果を奏するものとなる。
【図面の簡単な説明】
【図１】本発明の一実施例を示す分解斜視図。
【図２】同実施例の座及び背もたれを示す側断面図。
【図３】同実施例の前係合部を示す分解斜視図。
【図４】同実施例の前係合部の装着手順を示す図。
【図５】同実施例の前係合部の他の装着手順を示す図。
【符号の説明】
Ａ…前係合部
３…ベースシェル（アウターシェル）
４…座
５…背もたれ
６ａ…下面
３１…座対応部分
３２…背もたれ対応部分
３４ｇ…爪
６２…補助シェル
６２ｇ…係合要素（開口窓）
３４ｈ…起立片（リブ）
【図１】
0003594334.tif 000002
【図２】
0003594334.tif 000003
【図３】
0003594334.tif 000004
【図４】
0003594334.tif 000005
【図５】
0003594334.tif 000006